(57)【要約】  レンズを保持するフレームを有するゴーグルに着脱可能に取り付けることのできる着脱自在フレームを提供する。前記着脱自在フレームは、前記ゴーグルフレームよりも高い剛性を有し、前記ゴーグルに取り付けられたときに、前記ゴーグルフレームを遮る、および／もしくは、前記ゴーグルフレームを硬化なものとすることにより、前記ゴーグルを好ましくない衝撃により生じる損傷から保護する。前記着脱自在フレームは、前記ゴーグルフレームよりも高い可撓性を有し、前記ゴーグルに取り付けられたときに、ユーザに快適な装着感を与える。また、前記着脱自在フレームに着脱可能に取り付けることのできる着脱自在ドレープも提供する。前記ドレープは、ゴーグルから吊り下げられ、装着されたときにユーザの顔面を保護し、ユーザが前記ゴーグルをユーザが装着しているヘルメットの上など、別の場所に移動させたときは、レンズの上に着脱可能に取り付けられてレンズを保護する形状を有している。
2008541197.tif 000002
【特許請求の範囲】
【請求項１】
レンズと該レンズを保持するゴーグルフレームとを有するゴーグルに着脱可能に取り付けられる着脱自在フレームであって、
前記着脱自在フレームが前記ゴーグルに取り付けられ、ユーザが前記前記レンズを備えた前記ゴーグルを目の前方に装着したときに前記ゴーグルフレームを衝撃から保護する本体部と、
前記本体部を前記ゴーグルに着脱可能に取り付けるために前記ゴーグルに係合する大きさ及び形状を有する取付部とを含む、着脱自在フレーム。
【請求項２】
前記本体部は前記ゴーグルよりも剛性が高い、請求項１に記載の着脱自在フレーム。
【請求項３】
前記本体部は、前記着脱自在フレームが前記ゴーグルに取り付けられているときに、前記ゴーグルフレームを衝撃から保護するために前記ゴーグルフレームを支持する大きさ及び形状を有する、請求項１または２に記載の着脱自在フレーム。
【請求項４】
前記本体部は、前記着脱自在フレームが前記ゴーグルに取り付けられているときに、前記ゴーグルフレームを衝撃から保護するために前記ゴーグルフレームを遮る大きさ及び形状を有する、請求項１ないし３のいずれか一項に記載の着脱自在フレーム。
【請求項５】
前記本体部は、前記着脱自在フレームが前記ゴーグルに取り付けられているときに、前記ゴーグルフレームのセグメントを覆う大きさ及び形状を有する、請求項１ないし４のいずれか一項に記載の着脱自在フレーム。
【請求項６】
前記本体部は、前記着脱自在フレームが前記ゴーグルに取り付けられているときに、外部環境にさらされている前記フレームの全ての部分を覆う大きさ及び形状を有する、請求項１ないし４のいずれか一項に記載の着脱自在フレーム。
【請求項７】
前記取付部は、前記着脱自在フレームが前記ゴーグルに取り付けられているときに、前記ゴーグルに係合している、請求項１ないし６のいずれか一項に記載の着脱自在フレーム。
【請求項８】
前記取付部は、前記ゴーグルフレームに当接し、前記本体部を前記ゴーグルに取り付ける大きさ及び形状を有する係止部を含む、請求項１ないし７のいずれか一項に記載の着脱自在フレーム。
【請求項９】
前記取付部は、前記本体部を前記ゴーグルに取り付けるために、前記ゴーグルフレームを前記本体部に固定する大きさ及び形状を有する係止部を含む、請求項１ないし８のいずれか一項に記載の着脱自在フレーム。
【請求項１０】
前記本体部を前記ゴーグルに取り付けるために、前記ゴーグルフレームを前記本体部に固定する大きさ及び形状を有する係止部と、
該係止部を一端に有し、前記ゴーグルフレームを保持するよう前記係止部を位置させる大きさ及び形状を有する可撓性カンチレバーとを含む、請求項１ないし９のいずれか一項に記載の着脱自在フレーム。
【請求項１１】
前記本体部を前記ゴーグルに取り付けるために、前記ゴーグルフレームを前記本体部に固定する大きさ及び形状を有する係止部と、
該係止部を一端に有し、前記ゴーグルフレームを保持するよう前記係止部を位置させる大きさおよび形状を有する可撓性カンチレバーと、
前記ユーザが前記係止部による前記ゴーグルフレームの固定を解除する大きさ及び形状を有する解除タブとを有する、請求項１ないし１０のいずれか一項に記載の着脱自在フレーム。
【請求項１２】
前記取付部は、一定長さを有し、かつ、前記着脱自在フレームの左端部と接続される第１の端部と、前記着脱自在フレームの右端部と接続される第２の端部とを有する弾性ストラップを含む、請求項１ないし１１のいずれか一項に記載の着脱自在フレーム。
【請求項１３】
前記本体部は、前記着脱自在フレームが前記ゴーグルに取り付けられているときに、前記ゴーグルの通気孔を覆うように広がる大きさ及び形状を有する通気カバーを含む、請求項１ないし１２のいずれか一項に記載の着脱自在フレーム。
【請求項１４】
前記通気カバーは、前記着脱自在フレームが前記ゴーグルに取り付けられているときに、前記ゴーグルの前記通気孔を覆う大きさ及び形状を有する、請求項１３に記載の着脱自在フレーム。
【請求項１５】
前記通気カバーは、前記着脱自在フレームが前記ゴーグルに取り付けられているときに、前記ゴーグルの通気孔を通して空気が流出入することを可能にする大きさ及び形状を有する、請求項１４に記載の着脱自在フレーム。
【請求項１６】
前記本体部は、前記着脱自在フレームが前記ゴーグルに取り付けられ、前記ユーザが前記レンズを備えた前記ゴーグルを目の前方に位置させたときに、前記ユーザの鼻を覆うように伸びた大きさ及び形状を有するノーズガードを含む、請求項１ないし１５のいずれか一項に記載の着脱自在フレーム。
【請求項１７】
前記ノーズガードは、前記着脱自在フレームが前記ゴーグルに取り付けられ、前記ユーザが前記前記レンズを備えた前記ゴーグルを目の前方に位置させたときに、前記ユーザの鼻を覆う大きさ及び形状を有する、請求項１６に記載の着脱自在フレーム。
【請求項１８】
前記本体部は、前記着脱自在フレームが前記ゴーグルに取り付けられ、前記ユーザが前記レンズを備えた前記ゴーグルを目の前方に位置させたときに、前記ユーザの頬を覆うように伸びた大きさ及び形状のチークガードを含む、請求項１ないし１７のいずれか一項に記載の着脱自在フレーム。
【請求項１９】
前記チークガードは、前記着脱自在フレームが前記ゴーグルに取り付けられ、前記ユーザが前記レンズを備えた前記ゴーグルを目の前方に位置させたときに、前記ユーザの頬を覆う大きさ及び形状を有する、請求項１８に記載の着脱自在フレーム。
【請求項２０】
前記チークガードは、前記着脱自在フレームが前記ゴーグルに取り付けられ、前記ユーザが前記レンズを備えた前記ゴーグルを目の前方に位置させたときに、前記ユーザの両頬を覆うように伸びた大きさ及び形状を有する、請求項１８に記載の着脱自在フレーム。
【請求項２１】
前記本体部は、前記ゴーグルの通気孔を通して換気を促進する大きさ及び形状を有したファンを前記着脱自在フレームに据え付けるための形状及び大きさを有する取付架台を含む、請求項１ないし２０のいずれか一項に記載の着脱自在フレーム。
【請求項２２】
前記本体部は、前記着脱自在フレームが前記ゴーグルに取り付けられているときに、前記ゴーグルのゴーグル固定部材が前記ゴーグルフレームと当接している前記ゴーグルの上方位置に伸びる大きさ及び形状を有したゴーグル保持ガードを含む、請求項１ないし２１のいずれか一項に記載の着脱自在フレーム。
【請求項２３】
前記本体部は、前記着脱自在フレームが前記ゴーグルに取り付けられているときに、前記ゴーグルのゴーグル固定部材を支え、該ゴーグル固定部材が前記着脱自在フレームを前記ユーザに固定することを可能とする大きさ及び形状を有した受け部を有する、請求項１ないし２２のいずれか一項に記載の着脱自在フレーム。
【請求項２４】
一定長さを有し、かつ、前記着脱自在フレームの左端に接続される第１の端部と前記着脱自在フレームの右端に接続される第２の端部とを有する弾性ストラップを含むフレーム固定部材を含む、請求項１ないし２３のいずれか一項に記載の着脱自在フレーム。
【請求項２５】
前記本体部に取り付けられ、前記着脱自在フレームが前記ゴーグルに取り付けられ、前記ユーザが前記レンズを備えた前記ゴーグルを目の前方に位置させたときに前記ユーザの顔面を覆うように広がる大きさ及び形状を有するドレープを含む、請求項１ないし２４のいずれか一項に記載の着脱自在フレーム。
【請求項２６】
前記ドレープは、前記着脱自在フレームが前記ゴーグルに取り付けられ、前記ユーザが前記レンズを備えた前記ゴーグルを目の前方に位置させたときに前記ユーザの顔面および首部を覆うように広がる大きさ及び形状を有する、請求項２５に記載の着脱自在フレーム。
【請求項２７】
前記ドレープは、前記本体部に着脱可能に取り付けられる、請求項２５に記載の着脱自在フレーム。
【請求項２８】
前記ドレープは、前記着脱自在フレームに吊り下げられ、前記ユーザの顔面および前記ゴーグルの部品を覆っているときに、前記ドレープを前記着脱自在フレームに固定する大きさ及び形状を有する第１のドレープ取付具と、
前記ドレープが前記ゴーグルの部品を覆っているときに、前記ドレープを前記着脱自在フレームに固定する大きさ及び形状を有する第２のドレープ取付具とを含む、請求項２７に記載の着脱自在フレーム。
【請求項２９】
前記ドレープは、前記第２のドレープ取付具により前記着脱自在フレームに固定されているときに前記レンズを覆う、請求項２８に記載のドレープ。
【請求項３０】
前記第１および第２のドレープ取付具には、ベルクロを含む、請求項２８に記載のドレープ。
【請求項３１】
前記本体部に保持されたレンズを含む、請求項１ないし３０のいずれか一項に記載のドレープ。
【請求項３２】
レンズおよび該レンズを保持するゴーグルフレームを有するゴーグルに着脱可能に取り付けられた着脱自在フレームであって、
該着脱自在フレームが前記ゴーグルに取り付けられ、ユーザが前記レンズを備えた前記ゴーグルを目の前方に位置させたときに、前記ユーザの顔面を気密にシールする顔面沿設部材を有する本体部と、
前記ゴーグルに係合して前記本体部を前記ゴーグルに固定する形状の取付部とを有する、着脱自在フレーム。
【請求項３３】
前記本体部は可撓性を有する、請求項３２に記載の着脱自在フレーム。
【請求項３４】
前記本体部は前記ゴーグルフレームよりも可撓性が高い、請求項３２または３３に記載の着脱自在フレーム。
【請求項３５】
前記顔面沿設部材は柔軟性を有する、請求項３２ないし３４のいずれか一項に記載の着脱自在フレーム。
【請求項３６】
前記顔面沿設部材は一定の周囲長を有する、請求項３２ないし３５のいずれか一項に記載の着脱自在フレーム。
【請求項３７】
前記取付部は、前記着脱自在フレームが前記ゴーグルに取り付けられたときに前記ゴーグルに係合する、請求項３２ないし３６のいずれか一項に記載の着脱自在フレーム。
【請求項３８】
前記取付部は、前記本体部を前記ゴーグルに着脱可能に取り付けるために前記ゴーグルフレームと当接する大きさ及び形状を有する係止部を含む、請求項３２ないし３７のいずれか一項に記載の着脱自在フレーム。
【請求項３９】
前記取付部は、前記本体部を前記ゴーグルに着脱可能に取り付けるために前記ゴーグルフレームを前記本体部に固定する大きさ及び形状を有する係止部を含む、請求項３２ないし３８のいずれか一項に記載の着脱自在フレーム。
【請求項４０】
前記本体部は、通気孔を含み、前記着脱自在フレームが前記ゴーグルに取り付けられたときに、前記ユーザの目、レンズおよび着脱自在フレームで形成される空間領域に空気の流出入を可能としている、請求項３２ないし３９のいずれか一項に記載の着脱自在フレーム。
【請求項４１】
前記着脱自在フレームを前記ユーザに固定する大きさ及び形状を有するフレーム固定部材を含む、請求項３２ないし４０のいずれか一項に記載の着脱自在フレーム。
【請求項４２】
前記フレーム固定部材は、一定長さを有し、かつ、前記着脱自在フレームの左端部に接続された第１の端部と前記着脱自在フレームの右端部に接続された第２の端部とを有する弾性ストラップを含む、請求項４１に記載の着脱自在フレーム。
【請求項４３】
前記本体部に保持されたレンズを含む、請求項３２ないし４２のいずれか一項に記載の着脱自在フレーム。
【請求項４４】
第１のゴーグルフレームと、レンズと、第２の着脱自在フレームとを含むゴーグルであって、
前記第２の着脱自在フレームは、前記第１のゴーグルフレームに着脱可能に取り付けられ、ユーザが前記レンズを備えた前記ゴーグルを目の前方に位置させたときに前記第１のゴーグルフレームを衝撃から保護するための大きさ及び形状を有する本体部と、該本体部を前記第１のゴーグルフレームに着脱可能に取り付けるために前記第１のゴーグルフレームに係合する形状を有する取付部とを含む、ゴーグル。
【請求項４５】
前記第１のゴーグルフレームは前記レンズを保持する、請求項４４に記載のゴーグル。
【請求項４６】
前記第２の着脱自在フレームは前記レンズを保持する、請求項４４または４５に記載のゴーグル。
【請求項４７】
第２のレンズを含み、
前記第２の着脱自在フレームは前記第２のレンズを保持し、
前記第１のゴーグルフレームは他のレンズを保持する、請求項４４ないし４６のいずれか一項に記載のゴーグル。
【請求項４８】
前記第１のゴーグルフレームは、前記ユーザの目、前記ゴーグルのレンズ及び第１のゴーグルフレームで形成される空間への空気の流出入を可能とする大きさ及び形状を有する通気孔を含む、請求項４４ないし４７のいずれか一項に記載のゴーグル。
【請求項４９】
前記第１のゴーグルフレームに取り付けられ、前記ゴーグルの前記通気孔を通して空気の流出入を促進させる大きさ及び形状を有するファンを含む、請求項４４ないし４８のいずれか一項に記載のゴーグル。
【請求項５０】
前記第１のゴーグルフレームに接続され、前記第１のゴーグルフレームを前記ユーザに固定する大きさ及び形状を有するフレーム固定部材を含む、請求項４４ないし４９のいずれか一項に記載のゴーグル。
【請求項５１】
前記第２の着脱自在フレームに接続され、前記第２の着脱自在フレームを前記ユーザに固定する大きさ及び形状を有するフレーム固定部材を含む、請求項４４ないし５０のいずれか一項に記載のゴーグル。
【請求項５２】
前記フレーム固定部材は、一定長さを有し、かつ、前記第１のゴーグルフレームの左端に接続される第１の端部と前記第１のゴーグルフレームの右端に接続される第２の端部とを有する弾性ストラップを含む、請求項５０に記載のゴーグル。
【請求項５３】
前記フレーム固定部材は、一定長さを有し、かつ、前記第２の着脱自在フレームの左端に接続される第１の端部と前記第２の着脱自在フレームの右端に接続される第２の端部とを有する弾性ストラップを含む、請求項５１に記載のゴーグル。
【請求項５４】
第１のゴーグルフレームと、レンズと、第２の着脱自在フレームとを含むゴーグルであって、
前記第２の着脱自在フレームは、前記第１のゴーグルフレームに着脱可能に取り付けられ、前記フレームが前記ゴーグルに取り付けられてユーザが前記レンズを備えた前記ゴーグルを目の前方に位置させたときに前記ユーザの顔面を気密にシールする顔面沿設部材を有する本体部と、該本体部を前記ゴーグルに着脱可能に取り付けるために前記第１のゴーグルフレームに係合する大きさ及び形状を有する取付部とを含む、ゴーグル。
【請求項５５】
前記第１のゴーグルフレームは前記レンズを保持する、請求項５４に記載のゴーグル。
【請求項５６】
前記第２の着脱自在フレームは前記レンズを保持する、請求項５４または５５に記載のゴーグル。
【請求項５７】
第２のレンズを含み、
前記第２の着脱自在フレームは前記第２のレンズを保持し、
前記第１のゴーグルフレームは他のレンズを保持する、請求項５４ないし５６のいずれか一項に記載のゴーグル。
【請求項５８】
前記第２の着脱自在フレームは、前記ユーザの目、前記ゴーグルのレンズ及び前記第２の着脱自在フレームで形成される空間へ空気の流出入を可能とする大きさ及び形状を有する通気孔を含む、請求項５４ないし５７のいずれか一項に記載のゴーグル。
【請求項５９】
ゴーグルに取り付けられ、ユーザが前記ゴーグルを目の前方に位置させたときに、ゴーグルフレームを衝撃から保護する大きさ及び形状を有した本体部を含む着脱自在フレームを、レンズおよび該レンズを保持する前記ゴーグルフレームを有する前記ゴーグルに取り付けることを含む方法。
【請求項６０】
前記着脱自在フレームを前記ゴーグルから取り外すことを含む、請求項５９に記載の方法。
【請求項６１】
前記着脱部材を前記ゴーグルから取り外し、
前記ゴーグルに取り付けられ、前記ユーザが前記ゴーグルを目の前方に位置させたときに、前記ゴーグルフレームを衝撃から保護する大きさ及び形状を有した本体部を含む別の着脱自在フレームを前記ゴーグルに取り付けることを含む、請求項５９または６０に記載の方法。
【請求項６２】
前記ゴーグル及び前記着脱自在フレームを、前記ゴーグルの前記レンズが前記ユーザの両目の前方に位置し、かつ、前記ゴーグルが前記ユーザの顔面と当接するよう位置させることを含む、請求項５９ないし６１のいずれか一項に記載の方法。
【請求項６３】
前記ゴーグルを前記ユーザの顔面に装着させることを含む、請求項５９ないし６２のいずれか一項に記載の方法。
【請求項６４】
前記ゴーグルを前記ユーザの顔面に装着させることは、前記着脱自在フレームを前記ゴーグルに取り付けることの前に行う、請求項６３に記載の方法。
【請求項６５】
前記着脱自在フレームを前記ゴーグルに取り付けることは、前記ゴーグルを前記ユーザの顔面に装着させることの前に行う、請求項６３に記載の方法。
【請求項６６】
ゴーグルに取り付けられ、ユーザが前記ゴーグルを目の前方に位置させたときに、前記ユーザの顔面を気密にシールする顔面沿設部材を有する本体部を含む着脱自在フレームを、レンズおよび該レンズを保持する前記ゴーグルフレームを有する前記ゴーグルに取り付けることを含む方法。
【請求項６７】
前記着脱自在フレームを前記ゴーグルから取り外すことを含む、請求項６６に記載の方法。
【請求項６８】
前記着脱自在フレームを前記ゴーグルから取り外し、
前記ゴーグルに取り付けられ、前記ユーザが前記ゴーグルを目の前方に位置させたときに、前記ユーザの顔面を気密にシールする顔面沿設部材を有する本体部を含む別の第２の着脱自在フレームを前記ゴーグルに取り付けることを含む、請求項６６または６７に記載の方法。
【請求項６９】
前記ゴーグル及び前記着脱自在フレームを前記ゴーグルの前記レンズが前記ユーザの両目の前方に位置し、かつ、前記ゴーグルが前記ユーザの顔面と当接するよう位置させることを含む、請求項６６ないし６８のいずれか一項に記載の方法。
【請求項７０】
前記ゴーグルを前記ユーザの顔面に装着させることを含む、請求項６６ないし６９のいずれか一項に記載の方法。
【請求項７１】
前記ゴーグルを前記ユーザの顔面に装着させることは、前記着脱自在フレームを前記ゴーグルに取り付けることの前に行う、請求項７０に記載の方法。
【請求項７２】
前記着脱自在フレームを前記ゴーグルに取り付けることは、前記ゴーグルを前記ユーザの顔面に装着させることの前に行う、請求項７０に記載の方法。
【発明の詳細な説明】
【技術分野】
【０００１】
顔面に密着する柔らかいフレームを有したゴーグルの多くは、ユーザにとって付け心地がよい。しかしながら、これらのゴーグルは、ペイントボールゲームや、戦闘訓練、戦闘実務に参加するなど、衝撃力の強い動作に使用される場合には、いくつかの問題が生じうる。つまり、比較的柔らかいフレームは、発射体や破片の衝撃を受けている最中ないしは、衝撃を受けた後に変形することがある。また、柔らかいフレームは、かかる衝撃の最中ないしは後においてフレーム内のレンズを保持できないことがしばしばある。
【背景技術】
【０００２】
同様にユーザがゴーグルを目に装着していないときは、ゴーグルの多くは、ユーザの目の上方に位置する頭やヘルメットの上に置かれている。かかる状況においては、ゴーグルは外部環境にさらされており、破片やその他の外的物質によって損傷を受ける可能性がある。例えば、ゴーグルをヘルメットの上や目の上方にゴーグルを移動させてタンク内にいる人は、タンク内の部材に不注意にもゴーグルをぶつけ、レンズを擦ったり、損傷することがある。
【発明の開示】
【発明が解決しようとする課題】
【０００３】
これらに鑑み、改良されたゴーグルやこれの問題を解決する方法が必要とされている。
【課題を解決するための手段】
【０００４】
本願発明の一態様は、レンズとレンズを保持するフレームとを有する着脱可能なフレームを提供するものであり、着脱可能なフレームは、ゴーグルに取り付けられてユーザがゴーグルを目の前方に装着したときに、ゴーグルフレームを衝撃から保護する本体部を含む。着脱自在フレームはゴーグルに係合して本体部をゴーグルに固定するよう設計された少なくとも１つの取付部を含む。着脱自在フレームはゴーグルのフレームより堅く、望ましくない衝撃を遮ぎり、ゴーグルのフレームを支持することによりゴーグルを保護することができる。フレームはゴーグルに着脱可能に取り付けられており、ユーザは必要であれば、フレームを剛性の異なる別のフレームと交換することにより、保護角度を代えることができる。
【０００５】
本願発明の他の態様は、ゴーグルに取り付けられ、ユーザがレンズの付いたゴーグルを目の前方に装着したときに、ゴーグルとユーザの間に接触面を形成する着脱自在フレームを提供する。本願発明のこの実施態様において、着脱自在フレームは、ユーザの顔面を気密にシールする顔面沿設部材を備えた本体部を含む。着脱自在フレームは、ゴーグルのフレームよりも可撓性を有し（柔らかく）、よりユーザになじむ。フレームはゴーグルに着脱可能に取り付けられているので、ユーザは必要であれば、環境や目的の変化に応じて、フレームを別のフレームと交換することにより、ゴーグルの装着具合が変わるゴーグルに変更することができる。さらに、ユーザは必要であれば、フレームを異なる可撓性を有するフレームと交換することにより、別の人の顔に適合するゴーグルに変更することもできる。
【０００６】
本願発明のさらに別の態様では、レンズおよびレンズを保持するフレームを備えた着脱自在フレームにドレープが着脱可能に取り付けられ、ゴーグルがヘルメット上ないしは別の部品の上に装着された、もしくはユーザから取り外されてダッフルバッグや作業ベンチに置かれた場合でもゴーグルやゴーグルの部品が保護される。ドレープはゴーグルもしくは、レンズなどのゴーグルの特定の部品を覆っており、望ましい位置でゴーグルに着脱可能に取り付けられる。
【０００７】
本願発明の他の態様として、レンズおよびレンズを保持するゴーグルにフレームを着脱可能に取り付けるゴーグルの作成方法がある。前記方法は、ゴーグルから着脱自在フレームを取り外し、別の着脱自在フレームをゴーグルに取り付ける方法も含む。
【０００８】
本願発明の他の態様として、ドレープを着脱自在フレームに取り付け、すくなくとも１以上のゴーグルの部品を覆い、ユーザの顔面を保護するためにゴーグルからドレープを吊り下げることを含む、ゴーグルの作成方法がある。
【０００９】
開示する実施例に対してさまざまな変形例が容易く理解されるであろうし、ここに示す一般原理は本議論の精神や範囲を超えない限度で他の実施例や出願に適用することができる。したがって、本議論は、開示した実施例に限ることを意図しておらず、ここに開示した原理や特徴で定められる外延に従う。
【００１０】
本願発明の一態様として、レンズを保持するフレームを有し、ゴーグルに着脱可能に取り付けるゴーグルフレームを提供する。ある実施例において、着脱自在フレームの剛性はゴーグルフレームよりも高く、ゴーグルに取り付けられたときに、ゴーグルを遮ぎり、かつ／またはゴーグルフレームを支持することにより、ゴーグルを望ましくない衝撃により生ずる損傷から保護する。他の実施例において、着脱フレームはゴーグルフレームに比べて可撓性を有しており、ゴーグルに取り付けられたときにユーザにより快適な装着感を与える。
【００１１】
本願発明の他の実施態様として着脱自在フレームに着脱可能に取り付けられるドレープを提供する。ある実施例において、ドレープは着脱自在フレームの下に吊り下げられ、着脱自在フレームがゴーグルに取り付けられ両者がユーザに装着されたときに、ユーザの顔面を保護する形状を有している。また、ゴーグルのレンズや着脱自在フレーム、もしくは両者に着脱可能に取り付けられて、ユーザが着脱自在フレームとゴーグルを別の場所に、例えばヘルメット上に移動させたときにレンズを保護する形状を有している。他の実施例において、ドレープは着脱自在フレーム及びゴーグルの全てを覆っている。
【００１２】
ある実施例においては、本願発明は着脱自在フレームのみを対象としており、他の実施例においては、本願発明は着脱自在フレームと該着脱自在フレームが取り付けられるゴーグルの両者を対象としている。同様に、ある実施例においては、本願発明は着脱自在ドレープのみを対象としており、他の実施例においては、本願発明は、着脱自在ドレープと該ドレープが取付られるゴーグルの両者を対象としている。さらに本願発明は、本システム及び装置の使用方法同様に、各種要素の組立方法も対象としている。
【００１３】
本出願では２００５年５月１８日に出願された米国仮出願６０／６８２７９３の利益を主張する。発明の名称は、着脱可能なフレームを有したゴーグル、そのゴーグルの作成方法およびそのゴーグルの使用方法、である。この仮出願は現在係属中であり、本明細書において全体的に参照されここに組み込まれる。
【００１４】
次の文献は本明細書において全体的に参照されここに組み込まれる。２００２年１２月１０日発行米国特許第６４９０７２９号明細書；２００４年３月２３日発行米国特許第６７０８３４０号明細書；２００２年１０月３１日公開米国特許出願公開明細書２００２／０１５７１７５；２００４年５月６日公開米国特許出願公開明細書２００４／００８３５４０；２００５年１月２７日公開米国特許出願公開明細書２０００５１５８６２；２０００年４月１１日発行米国特許第６０４８４１０号明細書；２０００年３月２１日発行米国特許第６０３８７０７号明細書
【発明を実施するための最良の形態】
【００１５】
図１は、本願発明の一実施例であるゴーグル２０の分解斜視図である。ゴーグル２０は、内ゴーグル２２と、該内ゴーグル２２に取り付けられて内ゴーグルを好ましくない衝撃から保護する着脱可能フレーム２４とを含んでいる。ゴーグル２２は、汎用のゴーグルや特定用途のゴーグル、軍事用弾道ゴーグルなど望ましいものであればいずれでもよい。ゴーグル２０のいくつかの実施例においては、取付部２６によりフレーム２４がゴーグル２２に着脱可能に取り付けられている。
【００１６】
ゴーグル２２は、レンズ２８とレンズ２８を保持するフレーム３０とを含んでいる。いくつかの実施例においては、ゴーグル２２は、ユーザの目とレンズ２８とフレーム３０とで囲まれる領域に空気の流出入を可能にする通気孔３２を含んでいる。ゴーグル２２は、ユーザが装着したときにユーザに固定させるゴーグル固定部材３４を含んでいる。フレーム３０は、ユーザの目を保護すべくゴーグルが装着されたときにレンズ２８がユーザの目の前方の位置で維持される大きさ及び形状を有している。フレーム３０は、常にではないが、中程度の圧力を加えられ様々な形状の顔に適合できるよう十分な可撓性を有する材料で形成される。
【００１７】
着脱自在フレーム２４はフレーム３０を保護しており、フレーム３０が衝撃から保護される結果、ゴーグル２２は望ましくない衝撃から保護される。望ましくない衝撃の例としては、ペイントボールゲームにおいてペイントボールがフレーム３０に打ち込まれたり、軍事演習中ないしは実際の戦闘中に破片がフレーム３０に刺さったりすることが含まれる。フレーム３０は曲がりやすいため、かかる衝撃がフレーム３０に加わることでゴーグル２２が、例えば部品が全部外れたり、フレーム３０の一部がレンズから外れるなどの損傷が生じることがある。
【００１８】
着脱自在フレーム２４は、フレーム３０を保護するのに望ましい剛性を有した材料からなる本体部３６を含んでいる。剛性とは、圧力を受けた状態における変形や屈曲に対する材料の耐力を示す指標である。例えば、たいていのペーパークリップは、同寸法の小枝に比べて剛性が高い。というのも、ペーパークリップを曲げるには小枝を曲げるより力が必要だからである。本実施例ないしは他の実施例において、着脱自在フレーム２４および本体部３６は、フレーム３０の剛性の少なくとも１０倍の剛性を有するプラスチック材料からなる。その他の実施例におけるプラスチック材料は、フレーム３０の剛性よりわずかに小さい値からフレーム３０の剛性の１０倍の値よりわずかに小さい値の範囲内の剛性を有している。さらに他の実施例における着脱自在フレーム２４および本体部３６は、フレーム３０の剛性よりわずかに小さい値からフレーム３０の剛性より大きい値の範囲内の剛性を有する金属材料からなる。さらに別の実施例における着脱自在フレーム２４および本体部３６は、フレーム３０を保護するのに十分な剛性を有する材料を混合したものからなる。
【００１９】
本体部３６は、望ましくない衝撃からフレーム３０を保護し、かかる衝撃の最中にフレーム３０を支持するような大きさと形状を呈している。例えば、本実施例ないしは他の実施例において、フレーム２４、本体部３６は、着脱自在フレーム２４をゴーグル２２に取り付けられたときに、フレーム３０を覆っている（図２、５および６を参照）。他の実施例においては、フレーム２４と本体部３６は一つ以上のフレーム３０のセグメント（上下両端のフルサイド）を覆っている。例えば、本体部３６は、独立した部品（図示しない）を含んでおり、それぞれがフレーム３０に取り付けられてボトムセグメント３７やブローセグメント４０を保護する。他の例では、本体部３６は、１つの部材（図示しない）を含んでおり、フレーム３０のブローセグメント４０および両側部セグメント３８に固定されてフレーム３０のセグメントを保護する。
【００２０】
さらに図１を参照するに、本実施例ないしは他の実施例のゴーグル２０において、着脱自在フレーム２４は取付部２６を含んでいる。フレーム２４は、取付部２６の所望の部材を所望の位置に含ませてよい。例えば、本実施例ないしは他の実施例の着脱自在フレーム２４において、フレーム２４はフレーム３０に係合する大きさおよび形状を有する４つの係止部４２（分かりやすくするために図１では１つのみを図示。）を含んでいる。（より詳細な説明は図５とともに行う。）着脱自在フレーム２４のその他の実施例では、フレーム２４はレンズ２８などゴーグル２２の他の部材に係合する大きさないし形状を有する取付部（図示せず）を含んでいる。
【００２１】
ゴーグル２０の他の実施例において、ゴーグル２２は取付部２６を含んでいる。ゴーグル２２は取付部２６の所望の部材を所望の位置に含ませてよい。さらに他の実施例において、フレーム２４を、衝撃の最中ないしは後においてフレーム２４をゴーグル２２に固定できる何らかの固定技術を用いて、ゴーグル２２に固定させてもよい。
【００２２】
フレーム２４はゴーグル２２に着脱可能に取り付けられているので、ユーザは必要に応じて、フレーム２４を異なる剛性やカバー形状を有する別のフレーム２４と交換することにより、ゴーグル２２が保護される角度を修正することができる。
【００２３】
さらに図１を参照するに、本実施例ないしは他の実施例の着脱自在フレーム２４において、フレーム２４は、ユーザによって装着されたときにフレーム２４をユーザに固定するフレーム固定部材４４を含んでいる。例えば、ある実施例におけるフレーム固定部材４４は、弾性ストラップ４６からなり、本体部３６の右端部５０に接続される第１の端部４８と、本体部３６の左端部５４に第２の端部５２とを備えた一定長を有している。ゴーグル２０のある実施例においては、フレーム固定部材４４は、ユーザによって装着されたときにゴーグル２０をユーザに固定する唯一の部材となる。フレーム２４の他の実施例では、右端部５０か左端部５４もしくは両端部ともに、ゴーグル固定部材３４を受けて保持する受け部５６を含んでいる。かかる実施例において、ゴーグル固定部材３４は、ゴーグルがユーザに装着されたときにゴーグル２０をユーザに固定する唯一のゴーグル２０の部材となる。
【００２４】
ゴーグル２０は他の実施態様をとることも可能である。例えば、ゴーグル２０はゴーグル２０をヘルメットやイヤープロテクターのような防具に固定するクリップ（図示せず。）や他の部材（図示せず。）を含んでもよい。さらに、ゴーグル２２は、ユーザが装着しているかもしれない眼鏡やアイウェアに適合するようユーザの目の近傍で付着し取り外される大きさおよび形状を有している。ユーザが外ゴーグルフレームをスタイルに関連した理由（反対に保護以外の機能的な理由でもよい）で取り換えることができるよう、着脱自在フレーム２４に、さまざまな種類の色や技巧的スキームを備えさせてもよい。
【００２５】
図２は、図１に示したゴーグル２０を、着脱自在フレーム２４がゴーグル２２に取り付けられた状態で示す斜視図である。ある実施例においては、ゴーグル２０はユーザの目、レンズ２８およびフレーム３０で囲まれる領域内５７の空気の流出入を促進させるファン（図示せず）を含んでいる。この態様は、通気孔３２および領域５７を保護する通気カバー５８を備えた本体部３６を含むフレーム２４がゴーグル２２に取り付けられた場合に望ましい。フレーム２４のある実施例において、通気カバー５８は、領域５７内の空気の流出入を妨げ、領域５７内の換気を十分に阻止することができる。換気がなされないと、発汗によりレンズの内側が結露し、ユーザの視界を悪くする。領域５７内を換気により回復させるために、前記ファンがゴーグル２０に取り付けられている。
【００２６】
本実施例ないしは他の実施例のゴーグル２０において、ファンは着脱自在フレーム２４のグリル６０に覆われた箇所でゴーグルフレーム３０に取り付けられている。ファンはあらゆる望ましい固定技術を用いてフレーム３０に取り付けることができる。他の実施例においてファンは、望ましい固定技術を用いて着脱自在フレーム２４に取り付けられる。ある実施例において、グリル６０はファンに空気の流出入を可能とする通気孔６２を含んでいる。
【００２７】
図３は、本発明の他の実施例におけるゴーグル７０を示す斜視図である。ゴーグル７０は、着脱自在フレーム７２がレンズ７４を含んでおり、ゴーグル７６はレンズを含んではいない点を除き、図１および２に示されるゴーグル２０とほぼ同じである。レンズ７４が着脱自在フレーム７２の一部を形成しているので、必要に応じてゴーグル７０のレンズを容易に変更することができ、例えば、より軽いものに変えることができる。
【００２８】
レンズ７４は、外気中に浮遊する塵と同様に、まぶしい光や有害な光からもユーザの目を保護する。一般的にレンズ７４は、半透明の軽い材質からなる。例えば、必要であればレンズ７４を透明にして、レンズに到達した光を全て透過させることもできる。しかしながら、まぶしい光や微小光、高輝度のコリメート光、例えばレーザビームや高運動エネルギー物質などに対しては、特定の条件に応じて設計されたレンズも使用される。例えば、ティンテッドレンズや偏光レンズは、着色材や偏光材から成形したり、着色フィルムや偏光フィルムをレンズ７４に付着させて作製される。さらに、着色材や着色フィルムは、レーザや溶接トーチから放出される光波長に対応した狭い範囲内での光波長を除去するものであってもよい。レンズ７４の材料は、弾道レンズのように耐破損性のみならず耐衝撃性を備えた材料とすることもできる。レンズ７４は、赤外線や約６７０ナノメートルよりも長い波長の光を選択的に減衰するレンズとしてもよい。加えて、レンズ７４は、紫外線や約４２０ナノメートルよりも短い波長の光を選択的に減衰するレンズとしてもよい。また、赤外線および紫外線の両者を減衰させるものであってもよい。さらに、レンズ７４は“ティアアウェイ”(tear away)（図示せず）、つまりレンズの外表面を覆う着脱シート、を含ませることもできる。ティアアウェイは簡単にはがせるので、汚れたりオイルの付いたレンズを素早くかつ簡単にきれいにすることができる。
【００２９】
図１および２に示されたゴーグル２２のレンズ２８は、レンズ７４とほぼ同じである。したがって、レンズ７４に関する議論はレンズ２８にも適用される。
【００３０】
図４は、本発明における他の実施例におけるゴーグル８０の斜視図である。ゴーグル８０は、着脱自在フレーム８２以外の点は、図１および２に示されるゴーグル２０に、また図３に示されるゴーグル７０とほぼ同じであり、ゴーグル８４はレンズ８５および８７を含んでいる。レンズを２枚８５，８７含んでいることにより、ゴーグル８０は、ゴーグル２０や７０に比べ、好ましくない衝撃からの防御性が高まるし、レンズ８５、８７は、両者を組み合わせることにより、それぞれ他方のレンズ８５、８７が防御できない光から保護することができ、防御できる光の幅が広がる。
【００３１】
図５は、本願発明の実施例である図２に示されたゴーグル２０の切断線５−５での断面図である。本実施例ないし他の実施例の着脱自在フレーム２４において、取付部２６（図示せず）がゴーグル２２のフレーム３０に係止することにより、フレーム２４をゴーグル２２に固定している。さらに、本実施例ないし他の実施例の取付部２６は、フレーム３０に取付部２６を備えるための特殊な形状をフレーム３０に要求することなく、フレーム３０をフレーム２４に固定するための大きさ及び形状を備えていている。
【００３２】
例えば、本実施例ないしは他の実施例において、取付部２６は、係止部４２、カンチレバー８６、解除タブ８８を含んでいる。係止部４２は、ゴーグル２２のフレーム３０を着脱自在フレーム２４の本体部３６に係止する大きさと形状を備え、フレーム２４をゴーグル２２に固定する位置に設置されている。カンチレバー８６は、端部に係止部４２を備え、係止部４２がフレーム３０を本体部３６に保持しているときに、係止部４２がフレーム３０に当接する位置となるよう設計されている。図５に示されるように、取付部２６が本体部３６をフレーム３０に固定しているときは、係止部４２は、フレーム３０の裏面９０と当接している。また、図５に示されるように、係止部４２がフレーム３０から解除されると、係止部４２が裏面９０およびフレーム３０上の係止部ホルダから引き離される。
【００３３】
たいていのゴーグルは、ゴーグル２２の表面９０とほぼ同じ裏面を含むフレームを有しているので、必要であれば取付部２６によりフレーム２４を様々なタイプのゴーグル２２に取り付けることができる。ゴーグル２０の他の実施例において、ゴーグル２２は、着脱自在フレーム２４の係止部ないしは他の構造を受けるよう特別に設計された受け部を含んでいる。
【００３４】
本実施例または他の実施例において、ユーザは必要であればフレーム２４をゴーグル２２とともに並べ、フレーム２４をゴーグル２２の方向に移動させることにより取り付けることができる。本体部３６がフレーム３０へ近づくと、係止部がフレーム３０の外表面９２に当接し、カンチレバー８６を屈曲させてフレーム３０から遠ざける。本体部３６がフレーム３０と当接しているとき、カンチレバー８６は、係止部４２が裏面９０と当接する位置となるよう強制される。係止部によるフレーム３０への固定を解除するために、解除タブ８８をフレーム３０から動かして係止部４２を裏面９０から離なす。
【００３５】
図６は、本願の実施例における図２に示したゴーグルの切断線６−６での断面図である。本実施例および他の実施例において、本体部３６は領域５７やゴーグル２２の通気孔３２を塗料や、発射物、破片や他の好ましくない物質から保護するための通気カバー５８を含んでいる。
【００３６】
通気カバー５８は、通気孔３２を覆う長さを有し、通気孔３２から適度な距離が保たれるよう設計されている。例えば、本実施例および他の実施例において、通気カバー５８は本体部３６から伸延し、通気孔３２を覆い、通気孔３２から１インチ以下の距離が保たれるよう設置されている。通気カバー５８が通気孔３２を覆っていることにより、フレーム３０、通気孔３２および領域５７が保護されている。しかしながら、かかる設計により、通気孔３２からの空気の流れが妨げられ、領域５７内の換気が十分になされない。換気がなされないと、発汗によりレンズの内側が結露し、ユーザの視界を悪くする。空気の流れの制約を減らすために、他の実施例では、通気孔３２の上方に伸びる通気カバーを含ませてもよいし、通気孔３２から１インチ以上遠ざけたり、換気を促進させる物理的形状とする、もしくはこれら手段を組み合わせて設計してもよい。
【００３７】
図７に示されるような着脱自在フレーム２４の他の実施例において、通気カバー５８は、通気孔３２およびゴーグル２２の顔面沿設部材９４の一部を覆うこともできる。
【００３８】
図７は、本願発明の実施例における着脱フレーム１００の分解斜視図である。本実施例および他の実施例において、着脱自在フレーム１００は、図６で説明したように顔面沿設部材（図７に図示せず）の一部を覆うように伸びる通気カバー１１０同様に、フレーム１００がドレープ１０２、チークガード１０４、ゴーグル保持ガード１０６及びノーズガード１０８を含んでいる点を除き、図１、２、５および６に示されるフレーム２４とほぼ同じである。他の実施例において着脱自在フレーム１００は、１以上のこれらの構成部品を必要に応じて含ませることができる。
【００３９】
本実施例および他の実施例のフレーム１００では、本体部１１１は、着脱自在フレーム１００がゴーグル（図示せず）に取り付けられゴーグルがユーザ（図示せず）に装着されたときにユーザの頬を保護するチークガード１０４を含んでいる。チークガード１０４は、所望の角度で保護できる大きさ及び形状を有している。例えば、本実施例および他の実施例において、チークガード１０４は、ユーザの頬部を覆う位置に広がり、ユーザの口に沿った形状をなす開口部１１２を有している。チークガード１０４の他の実施例として、ユーザの口を保護するために、口の一部ないしは全部を覆うように広がるものとしてもよいし、ユーザの頬や下あごを覆うように広がるものとしてもよい。
【００４０】
本実施例および他の実施例における着脱自在フレーム１００は、着脱フレーム１００がゴーグル２２（図７はなく図１に図示）に取り付けられゴーグル２２やレンズ２８（図７ではなく図１に図示）などのゴーグルの部品を保護するさいに、ユーザの顔面（図示せず）および所望の部位を保護するためのドレープ１０２を含んでいる。着脱自在フレーム１００がゴーグル２２に取り付けられ、ゴーグル２２がユーザに装着されるときには、ドレープ１０２は着脱自在フレーム１００に吊り下げられて、ユーザの顔面や所望の体の部位、首など、を覆う。着脱自在フレーム１００がゴーグル２２に取り付けられ、このセットがヘルメットなどユーザの他の位置で保持されるときや、ユーザから取り外されて、ダッフルバッグや作業ベンチなどに置かれるときには、ドレープ１０２はレンズ２８上やゴーグルの他の部品上に取り付けられるようにすることもできる。
【００４１】
ドレープ１０２は、さまざまな好ましい材料で形成することができる。本実施例および他の実施例として、ドレープ１０２を弾道クロスなどの保護クロスで形成することもできる。他の実施例として、熱可塑性ゴムや熱可塑性エラストマーなどの柔軟な弾性材料で形成してもよい。
【００４２】
ドレープ１０２は所望の角度で保護できるように設計することができる。例えば、本実施例および他の実施例のドレープ１０２では、ユーザの顔面や首部をゴーグル２２や着脱自在フレーム１００で覆うことなく十分に保護できるだけの大きさを有している。また、ドレープ１０２は、ゴーグル２２に取り付けられたときにレンズ２８のみを覆う形状に設計してもよい。この形状の場合は、ドレープが着脱自在フレーム１００に吊り下げられても、ドレープ１０２がユーザの顔面を覆うこともあるし、覆わないこともある。また、必要であればドレープ１０２が着脱フレーム１００に吊り下げられたときにユーザの顔面の一部のみを覆うようにしてもよい。
【００４３】
ドレープ１０２は、ドレープ取付具を含んでおり、着脱自在フレーム１００の所望の位置に取り付けることができる。例えば、本実施例および他の実施例において、ドレープ１０２はチークガード１０４に取り付けられる第１の取付具１５０と、本体部１１１の頂部１５２に取り付けられる第２の取付具１５１とを含んでいる。前記第１の取付具１５０は、着脱自在フレーム１００のベルクロストリップ１５６に固着されるベルクロとすることができ、フレーム１００から吊り下げられるとドレープ１０２はレンズ２８を覆う。第２の取付具１５１は、ドレープ１０２がレンズ２８を覆う際に、着脱自在フレーム１００のベルクロストリップ１６０に固着されるベルクロとすることができる。他の実施例において、ベルクロストリップ１６０は、ベルクロストリップ１５６に合わせて位置調整され、第２のドレープ取付具１５１は、ドレープ１０２がゴーグル２２を覆ったのちにストリップ１６０に固着される。さらに他の実施例として、ドレープはスナップを用いて着脱自在フレーム１００に取り付けられるようにしてもよい。
【００４４】
着脱自在フレーム１００の他の実施例として、ドレープ１０２を他の望ましい固着技術を用いて本体部１１１に取り付けてもよい。他の実施例において、ドレープ１０２は、接着剤や縫合などの一般的な方法でフレーム１００に取り付けられている。
【００４５】
図７を参照するに、本体部１１１はフレーム１００とフレーム固定部材（図示せず）との接合、ないしはゴーグル固定部材（図示せず）との接合を保護するため、もしくは、ゴーグルフレーム（図示せず）とゴーグル固定部材との接合を保持するためのゴーグル保持ガード１０６を含んでいる。ガード１０６は、所望の角度で保護できるよう設計されている。例えば、本実施例および他の実施例において、ガード１０６は、フレーム１００の受け部１１６、およびゴーグル（図示せず）がフレーム１００に取り付けられたときのゴーグルフレームがゴーグル固定部材と接合される部分を覆って広がっている。他の実施例において、ガード１０６は、ユーザの目や耳の部分を覆って広がっている。
【００４６】
本実施例及び他の実施例におけるフレーム１００において、本体部１１１は、着脱自在フレーム１００がゴーグルに取り付けられて、ユーザに装着されるときに、ユーザの鼻（図示せず）を保護するノーズガード１０８を含んでいる。ノーズガード１０８は、所望の角度で保護できる大きさ及び形状を有している。例えば、本実施例および他の実施例におけるノーズガード１０８は、ユーザの鼻を覆い、ユーザがフレームの装着中に鼻から呼吸ができる開口部（図示せず）を含んでいる。他の実施例として、ノーズガード１０８が開口部を含まないこともある。さらに他の実施例として、ノーズガード１０８をユーザの鼻部に広がるものとすることもできる。
【００４７】
図８は、本願発明の別の実施例におけるゴーグル１２０の分解斜視図である。ゴーグル１２０はゴーグル１２２と、ゴーグル１２２に取り付けられてユーザに装着されたときに顔面を気密にシールする着脱自在フレーム１２４とを含む。ゴーグル１２０は、着脱自在フレーム１２４が、ゴーグル１２０の装着時にユーザの顔面と接触するゴーグル１２０の内側部分を構成し、ゴーグル１２２が着脱自在フレームを望ましくない衝撃から保護している点を除き、図３に示されるゴーグル７０とほぼ同じである。本実施例および他の実施例におけるゴーグル１２０において、着脱部材１２６がフレーム１２４をゴーグル１２２に固定している。
【００４８】
ゴーグル１２２は、図３に示されたレンズ７４と同じレンズ１２８からなり、汎用のゴーグルや特定用途のゴーグル、軍事用弾道ゴーグルなど望ましいものであればいずれでもよい。
【００４９】
着脱自在フレーム１２４は、顔面沿設部材１３２を有する本体部１３０を含んでいる。本体部１３０は、ゴーグル１２０が装着されたときにゴーグル１２２を無理なく支える可撓性を有した材料で形成することができ、顔面沿設部材１３２は、さまざまなユーザの顔面を快適に気密にシールすることのできる柔軟性を有した材料で形成することができる。可撓性および柔軟性とは、物質が外力を受けた際の耐変形能力を表す指標である。両者を比較するに、柔軟性のある材料は可撓性が高いが、可撓性のある物質は柔軟性がないこともある。例えば、ゴムバンドは小さな外力を受けて変形するので典型的な柔軟性物質であるが、プラスチック定規は、中程度の外力を受けて変形するので典型的な可撓性物質であるものの、柔軟性物質ではない。本実施例および他の実施例において着脱自在フレーム１２４、本体部１３０は、ゴーグル１２２よりも可撓性の高いゴムないしはプラスチックで形成され、顔面沿設部材１３２は、本体部１３０よりもより柔軟性および可撓性の高いゴムないしはプラスチックで形成されている。
【００５０】
顔面沿設部材１３２は望ましい形状に設計される。例えば、本実施例および他の実施例の着脱自在フレーム１２４において、顔面沿設部材１３２は、ゴーグル１２０がレンズ１２８とともにユーザの両目の前方に装着されたときに、両目を取り囲むだけの周囲長を有している。これにより、顔面沿設部材１３２は、塗料や、発射物、破片や他の好ましくない物質が目とレンズ１２８およびフレーム１２４とで形成される空間に進入するのを防ぐために、両目の周りを気密にシールしている。他の実施例の着脱自在フレーム１２４において、顔面沿設部材１３２は顔面の１つ以上の要素と接触して、その顔面要素とともに気密にシールしている。例えば、顔面沿設部材１３２は本体部の頂面に渡って伸び、ユーザの眉（図示せず）と接触して、眉とともに気密にシールする。他の実施例としては、顔面沿設部材１３２は、２つの独立した部材を含み、１つは、本体部の頂部に渡って伸び、ユーザの眉と接触し、もう一方の部材は本体部の底部に渡って伸び、ユーザの鼻と接触する。かかる構成により、ユーザの目、レンズ１２８およびフレーム１２４で形成される空間に十分な換気を提供することができる。
【００５１】
図１を参照するに、本実施例および他の実施例のゴーグル１２０において、着脱自在フレーム１２４は、着脱自在部材１２６を含んでいる。フレーム１２４は、望ましい位置に取り付けることのできる着脱自在部材１２６を含んでいる。例えば、本実施例および他の実施例の着脱自在フレーム１２４において、フレーム１２４は、ゴーグル１２２に係合する４つの係止部１３６を含んでいる。係止部１３６とゴーグル１２２との係合は、係止部１３６がゴーグル１２２を着脱自在フレーム１２４に固定しているときに、係止部１３６がゴーグル１２２の孔を貫通して伸びている点を除き、図５に示される係止部４２と図５に示される係止部１３６とフレーム３０との係合とほぼ同じである。着脱自在フレーム１２４の他の実施例において、フレーム１２４は、レンズ１２８のようなゴーグル２２の他の部材と係合できるよう着脱自在部材を含んでいる。
【００５２】
ゴーグル１２０の他の実施例において、ゴーグル１２２は、着脱自在部材１２６を含んでおり、ゴーグル１２２は、望ましい場所で取り付けることのできる着脱自在部材１２６の部材を含んでいる。他の実施例において、フレーム１２４は、フレーム１２４をゴーグル１２２に固定することのできる望ましい固定技術を用いてゴーグル１２２を固定してもよい。
【００５３】
フレーム１２４はゴーグル１２２に固定されているので、ユーザは必要であれば環境の変化に対応してゴーグルの装着態様を変更するために、もしくは、異なる本体部１３０および顔面沿設部材１３２とを備えた異なるフレーム１２４に交換するために、ゴーグル１２０を変更することができる。さらに、ユーザは必要に応じてゴーグル１２０を、別の顔面にも心地よく装着できるように、フレーム１２４を、異なる可撓性および柔軟性を備えた顔面沿設部材を有する別のフレーム１２４に交換することで変更することができる。
【００５４】
図８を参照するに、本実施例および他の実施例のゴーグル１２０において、着脱自在フレーム１２４は、ユーザの目、レンズ１２８、およびフレーム１２４で形成される空間への空気の流出入を可能にする、図１−６に示され議論された通気孔とほぼ同じ通気孔を含んでいる。ゴーグル１２０の他の実施例において、着脱自在フレーム１２４は通気孔を全く含んでいない。
【００５５】
以上のように、説明の便宜上特定の実施例について説明してきたが、ここでの議論の精神と範囲を超えない範囲でさまざまな変形例が考えられることは明らかである。したがって、装置および方法には、ここに説明した主題の置換および組合せと同様に、かかる変形例を含み、添付の請求項に限定されない。
【図面の簡単な説明】
【００５６】
【図１】本願発明の一実施例であるゴーグルの分解斜視図。
【図２】図１に示されたゴーグルの斜視図。
【図３】本願発明の他の実施例であるゴーグルの斜視図。
【図４】本願発明のさらに別の実施例であるゴーグルの斜視図。
【図５】図２に示された本願発明の一実施例であるゴーグルの切断線５−５での断面図。
【図６】図２に示された本願発明の一実施例であるゴーグルの切断線６−６での断面図。
【図７】本願発明の一実施例における着脱自在フレームの分解斜視図。
【図８】本願発明の他の実施例であるゴーグルの分解斜視図。
【符号の説明】
【００５７】
２０、２２          ゴーグル
２４                着脱自在フレーム
２６                取付部
３２                通気孔
３６                本体部
４２                係止部
４４                フレーム固定部材
４６                弾性ストラップ
５８                通気カバー
７０、７６          ゴーグル
７２                着脱自在フレーム
８０、８４          ゴーグル
８２                着脱自在フレーム
８５、８７          レンズ
８６                カンチレバー
８８                解除タブ
１００              着脱自在フレーム
１０２              ドレープ
１０４              チークガード
１０６              ゴーグル保持ガード
１０８              ノーズガード
１１０              通気カバー
１１１              本体部
１２０、１２２      ゴーグル
１２４              着脱自在フレーム
１２８              レンズ
１３０              本体部
１３２              顔面沿設部材
１３６              係止部
１５０、１５１      ドレープ取付具
【図１】
2008541197.tif 000003
【図２】
2008541197.tif 000004
【図３】
2008541197.tif 000005
【図４】
2008541197.tif 000006
【図５】
2008541197.tif 000007
【図６】
2008541197.tif 000008
【図７】
2008541197.tif 000009
【図８】
2008541197.tif 000010
【国際調査報告】
2008541197.tif 000011
2008541197.tif 000012